(57)【特許請求の範囲】
【請求項１】
接続制御デバイスでＷｉＦｉモバイル・デバイスのワイヤレス接続を管理するための方法であって、
ａ．アクセス・ポイント・デバイスの仮想アクセス・ポイントのために、前記アクセス・ポイント・デバイスによって転送された、ＷｉＦｉモバイル・デバイスからの１つまたは複数のワイヤレス接続要求を取得するステップであって、前記ワイヤレス接続要求は、前記仮想アクセス・ポイントのビーコン情報を含む、ステップと、
ｂ．前記ワイヤレス接続要求に基づいて前記仮想アクセス・ポイントのアクセス関連の情報を取得するステップであって、該アクセス関連の情報は、前記ＷｉＦｉモバイル・デバイスに対する前記仮想アクセス・ポイントの信号強度情報を含む、取得するステップと、
ｃ．前記アクセス関連の情報の信号強度情報に基づいて前記ワイヤレス接続要求に対応するスケジューリング情報を決定するステップであって、前記スケジューリング情報は、前記１つまたは複数の仮想アクセス・ポイントにおいて前記ＷｉＦｉモバイル・デバイスに対応するターゲット仮想アクセス・ポイントを含む、ステップと、
ｄ．前記アクセス・ポイント・デバイスに前記スケジューリング情報を提供するステップと
を含む、
方法。
【請求項２】
前記アクセス関連の情報は、前記ＷｉＦｉモバイル・デバイスに関してアクセス補助情報を更に含み、
前記アクセス補助情報は、
−  前記ＷｉＦｉモバイル・デバイスおよび前記アクセス・ポイント・デバイスのうちの少なくとも一方に対応する位置情報、
−  前記アクセス・ポイント・デバイスおよび前記仮想アクセス・ポイントのうちの少なくとも一方に対応する負荷関連の情報
のうちの少なくとも一方を含む、請求項１に記載の方法。
【請求項３】
アクセス・ポイント・デバイスでＷｉＦｉモバイル・デバイスのワイヤレス接続を補助的に管理するための方法であって、
ｘ．相互に独立した複数の仮想アクセス・ポイントを取得するために、アクセス・ポイント・デバイスで物理的なリソースを仮想化するステップと、
−  前記仮想アクセス・ポイントに対応する領域内で前記仮想アクセス・ポイントに対応するビーコン情報をブロードキャストするステップと
を含み、
Ａ．前記複数の仮想アクセス・ポイントに対して前記ＷｉＦｉモバイル・デバイスから１つまたは複数のワイヤレス接続要求を取得するステップであって、前記ワイヤレス接続要求は、前記複数の仮想アクセス・ポイントのうちの１つに対応するビーコン情報を含む、ステップと、
Ｂ．接続制御デバイスに、前記１つまたは複数のワイヤレス接続要求を送信するステップと、
Ｃ．前記１つまたは複数のワイヤレス接続要求に基づいて前記接続制御デバイスによって提供されるスケジューリング情報を取得するステップであって、前記スケジューリング情報は、前記ＷｉＦｉモバイル・デバイスに対応するターゲット仮想アクセス・ポイントを含む、ステップと、
Ｄ．前記ＷｉＦｉモバイル・デバイスと前記ターゲット仮想アクセス・ポイントとの間のワイヤレス接続を確立するステップと
をさらに含み、
前記ＷｉＦｉモバイル・デバイスに対応する前記ターゲット仮想アクセス・ポイントは、該ＷｉＦｉモバイル・デバイスに対する前記仮想アクセス・ポイントの信号強度情報に基づいて決定され、該信号強度情報は、前記１つまたは複数のワイヤレス接続要求に関連する情報である、
方法。
【請求項４】
−  前記１つまたは複数のワイヤレス接続要求に基づいて前記接続制御デバイスによって提供されるスケジューリング情報を取得するステップであって、前記スケジューリング情報は、前記ターゲット仮想アクセス・ポイント以外に、前記ＷｉＦｉモバイル・デバイスに対応する他の仮想アクセス・ポイントを含む、ステップと、
−  前記スケジューリング情報に基づいて前記ＷｉＦｉモバイル・デバイスおよび前記他の仮想アクセス・ポイントのワイヤレス接続要求をブロッキングするステップと
をさらに含む請求項３に記載の方法。
【請求項５】
前記ステップｘは、
−  相互に独立した複数の仮想アクセス・ポイントを取得するために、前記アクセス・ポイント・デバイスのリソース関係の情報に基づいて、前記アクセス・ポイント・デバイスで物理的なリソースを仮想化するステップ
を含み、
前記リソース関係の情報は、
前記アクセス・ポイント・デバイスの電力情報、
前記アクセス・ポイント・デバイスの帯域幅情報、及び、
前記アクセス・ポイント・デバイスの接続され得る前記ＷｉＦｉモバイル・デバイスの最大数、
の内の少なくとも１つを含む、
請求項３または４に記載の方法。
【請求項６】
ＷｉＦｉモバイル・デバイスのワイヤレス接続を管理するための接続制御デバイスであって、
アクセス・ポイント・デバイスの仮想アクセス・ポイントのために、前記アクセス・ポイント・デバイスによって転送された、ＷｉＦｉモバイル・デバイスからの１つまたは複数のワイヤレス接続要求を取得するための接続要求取得装置であって、前記ワイヤレス接続要求は、前記仮想アクセス・ポイントのビーコン情報を含む、接続要求取得装置と、
前記ワイヤレス接続要求に基づいて前記仮想アクセス・ポイントのアクセス関連の情報を取得するためのアクセス情報取得装置であって、該アクセス関連の情報は、前記ＷｉＦｉモバイル・デバイスに対する前記仮想アクセス・ポイントの信号強度情報を含む、アクセス情報取得装置と、
前記アクセス関連の情報の信号強度情報に基づいて前記ワイヤレス接続要求に対応するスケジューリング情報を決定するためのスケジュール決定装置であって、前記スケジューリング情報は、前記１つまたは複数の仮想アクセス・ポイントにおいて前記ＷｉＦｉモバイル・デバイスに対応するターゲット仮想アクセス・ポイントを含む、スケジュール決定装置と、
前記アクセス・ポイント・デバイスに前記スケジューリング情報を提供するための提供装置と
を含む、接続制御デバイス。
【請求項７】
前記アクセス関連の情報は、前記ＷｉＦｉモバイル・デバイスに関してアクセス補助情報を更に含み、
前記アクセス補助情報は、
−  前記ＷｉＦｉモバイル・デバイスおよび前記アクセス・ポイント・デバイスのうちの少なくとも一方に対応する位置情報と、
−  前記アクセス・ポイント・デバイスおよび前記仮想アクセス・ポイントのうちの少なくとも一方に対応する負荷関連の情報と
のうちの少なくとも一方を含む、
請求項６に記載の接続制御デバイス。
【請求項８】
ＷｉＦｉモバイル・デバイスのワイヤレス接続を補助的に管理するためのアクセス・ポイント・デバイスであって、
相互に独立した複数の仮想アクセス・ポイントを取得するために、アクセス・ポイント・デバイスで物理的なリソースを仮想化するための仮想化装置と、
前記仮想アクセス・ポイントに対応する領域で前記仮想アクセス・ポイントに対応するビーコン情報をブロードキャストするためのブロードキャスト装置と、
を含み、
前記複数の仮想アクセス・ポイントに対して前記ＷｉＦｉモバイル・デバイスから１つまたは複数のワイヤレス接続要求を取得するための接続要求受信装置であって、前記ワイヤレス接続要求は、前記複数の仮想アクセス・ポイントのうちの１つに対応するビーコン情報を含む、接続要求受信装置と、
接続制御デバイスに、前記１つまたは複数のワイヤレス接続要求を送信するための接続要求送信装置と、
前記１つまたは複数のワイヤレス接続要求に基づいて前記接続制御デバイスによって提供されるスケジューリング情報を取得するための第１のスケジュール取得装置であって、前記スケジューリング情報は、前記ＷｉＦｉモバイル・デバイスに対応するターゲット仮想アクセス・ポイントを含む、第１のスケジュール取得装置と、
前記ＷｉＦｉモバイル・デバイスと前記ターゲット仮想アクセス・ポイントとの間のワイヤレス接続を確立するための接続確立装置と、
をさらに含み、
前記ＷｉＦｉモバイル・デバイスに対応する前記ターゲット仮想アクセス・ポイントは、該ＷｉＦｉモバイル・デバイスに対する前記仮想アクセス・ポイントの信号強度情報に基づいて決定され、該信号強度情報は、前記１つまたは複数のワイヤレス接続要求に関連する情報である、
アクセス・ポイント・デバイス。
【請求項９】
前記１つまたは複数のワイヤレス接続要求に基づいて前記接続制御デバイスによって提供されるスケジューリング情報を取得するための第２のスケジュール取得装置であって、前記スケジューリング情報は、前記ターゲット仮想アクセス・ポイント以外に、前記ＷｉＦｉモバイル・デバイスに対応する他の仮想アクセス・ポイントを含む、第２のスケジュール取得装置と、
前記スケジューリング情報に基づいて前記ＷｉＦｉモバイル・デバイスおよび前記他の仮想アクセス・ポイントのワイヤレス接続要求をブロッキングするための要求ブロッキング装置と
をさらに含む請求項８に記載のアクセス・ポイント・デバイス。
【請求項１０】
前記仮想化装置は、
−  相互に独立した複数の仮想アクセス・ポイントを取得するために、前記アクセス・ポイント・デバイスのリソース関係の情報に基づいて前記アクセス・ポイント・デバイスで物理的なリソースを仮想化する
ように構成され、
前記リソース関係の情報は、
前記アクセス・ポイント・デバイスの電力情報、
前記アクセス・ポイント・デバイスの帯域幅情報、及び、
前記アクセス・ポイント・デバイスの接続され得る前記ＷｉＦｉモバイル・デバイスの最大数、
の内の少なくとも１つを含む、請求項８または９に記載のアクセス・ポイント・デバイス。
【請求項１１】
前記ＷｉＦｉモバイル・デバイスのワイヤレス接続を管理するためのシステムであって、請求項６または７に記載の接続制御デバイス、および請求項８乃至１０のいずれか１項に記載のアクセス・ポイント・デバイスを含むシステム。
【発明の詳細な説明】
【技術分野】
【０００１】
本発明は、ワイヤレス通信の分野に関し、具体的には、ＷｉＦｉモバイル・デバイスのワイヤレス接続を管理するための技術に関する。
【背景技術】
【０００２】
インターネット・アプリケーションへのワイヤレス・アクセスに対する急速な需要の増加は、たとえばＷｉＦｉインターフェースが組み込まれたスマートフォンなど、ＷｉＦｉモバイル・デバイスの著しい成長によって激化されている。しかしながら、たとえば、ＷｉＦｉ無線は、データ・パケットを送信／受信する間に約１０００ｍＷを消費するなど、ＷｉＦｉモバイル・デバイスは、典型的には多くのエネルギを消費する。バッテリ技術は、需要を満たすのに十分に速く発展していないので、バッテリ寿命を最大限にするために、ＷｉＦｉモバイル・デバイスのワイヤレス・データ通信のエネルギ効率を改善するか、または電力消費を最適化することがきわめて望ましい。ここでは、ＷｉＦｉモバイル・デバイスは、ＷｉＦｉを介してワイヤレス接続をサポートするモバイル・デバイスである。
【０００３】
多くのＷｉＦｉモバイル・デバイスは、送信／受信するデータ・パケットがないときに、電力消費を節約するために省電力モード（ＰＳＭ：Ｐｏｗｅｒ  Ｓａｖｅ  Ｍｏｄｅ）を導入している。しかしながら、複数のＰＳＭクライアントが同じアクセス・ポイント（ＡＰ）に接続し、ＡＰで同じビーコン間隔でバッファされたデータ・パケットの存在をビーコンがチェックするために、同時にウェイク・アップした場合、異なるＰＳＭクライアントを宛先とするデータ・パケットは、ＡＰの送信キューに登録され、結果として、ＰＳＭクライアントの一部がデータ・パケットを取得するための待ち時間がより長くなる。
【０００４】
ＷｉＦｉモバイル・デバイスの電力消費を最小限にするために、ＰＳＭクライアントがウェイク・アップして、そのＡＰに通知するときに、ほとんどの既存の解決策は、異なるスケジューリング戦略を実装する。
【０００５】
通常のスケジューリング：送信キューの末尾にＰＳＭクライアントのすべてのバッファされたデータ・パケットを登録する。これにより、ＰＳＭクライアントが、高電力消費の常時アウェイク・モード（ＣＡＭ：Ｃｏｎｓｔａｎｔｌｙ  Ａｗａｋｅ  Ｍｏｄｅ）を維持する時間が増加し、エネルギが浪費される。
【０００６】
高優先度スケジューリング：より優先度の高いキューにＰＳＭクライアントのバッファされたデータ・パケットを登録する。ＰＳＭクライアントが他のＣＡＭクライアントと競合している場合、電力消費を減らすのに役立つが、他のＣＡＭクライアントに対して大きな不公平となる。
【０００７】
さらに、スケジューリング・メカニズムは、ＰＳＭクライアントを他のＰＳＭクライアントから分離することができないので、ＡＰが特定のＰＳＭクライアントにサービスを提供する場合、他のＰＳＭクライアントは、依然としてアウェイク状態を維持する必要があり、これがクライアントの電力消費を引き起こす。
【０００８】
たとえば、ＡＰが４つのＰＳＭクライアントにサービスを提供する場合と、ＡＰが１つのＰＳＭクライアントにサービスを提供する場合を比較すると、一般的なスケジューリングでは、ＰＳＭクライアントは、電力消費を３倍にする一方、高優先度スケジューリングでは、ＰＳＭクライアントは、電力消費を４５％増加するだけである。
【発明の概要】
【発明が解決しようとする課題】
【０００９】
本発明の目的は、ＷｉＦｉモバイル・デバイスのワイヤレス接続を管理するための方法、デバイス、およびシステムを提供することである。
【課題を解決するための手段】
【００１０】
本発明の一態様によると、接続制御デバイスでＷｉＦｉモバイル・デバイスのワイヤレス接続を管理するための方法が提供され、方法は、以下のステップを含む。
【００１１】
ａ．アクセス・ポイント・デバイスの仮想アクセス・ポイントのために、アクセス・ポイント・デバイスによって転送された、ＷｉＦｉモバイル・デバイスからの１つまたは複数のワイヤレス接続要求を取得するステップであって、ワイヤレス接続要求は、対応する仮想アクセス・ポイントのビーコン情報を含むステップ。
【００１２】
ｂ．ワイヤレス接続要求に基づいて仮想アクセス・ポイントのアクセス関連の情報を取得するステップ。
【００１３】
ｃ．アクセス関連の情報に基づいてワイヤレス接続要求に対応するスケジューリング情報を決定するステップであって、スケジューリング情報は、１つまたは複数の仮想アクセス・ポイントにおいてＷｉＦｉモバイル・デバイスに対応するターゲット仮想アクセス・ポイントを含むステップ。
【００１４】
ｄ．アクセス・ポイント・デバイスにスケジューリング情報を提供するステップ。
【００１５】
本発明の別の態様によると、アクセス・ポイント・デバイスにおいてＷｉＦｉモバイル・デバイスのワイヤレス接続を従属的に管理するための方法がさらに提供され、方法は、以下のステップを含む。
【００１６】
ｘ．相互に独立した複数の仮想アクセス・ポイントを取得するために、アクセス・ポイント・デバイスで物理的なリソースを仮想化するステップ。
【００１７】
−  仮想アクセス・ポイントに対応する領域内で仮想アクセス・ポイントに対応するビーコン情報をブロードキャストするステップ。
【００１８】
方法は、以下をさらに含む。
【００１９】
Ａ．複数の仮想アクセス・ポイントに対してＷｉＦｉモバイル・デバイスから１つまたは複数のワイヤレス接続要求を取得するステップであって、ワイヤレス接続要求は、対応する仮想アクセス・ポイントのビーコン情報を含むステップ。
【００２０】
Ｂ．対応する接続制御デバイスに、１つまたは複数のワイヤレス接続要求を送信するステップ。
【００２１】
Ｃ．１つまたは複数のワイヤレス接続要求に基づいて接続制御デバイスによって提供されるスケジューリング情報を取得するステップであって、スケジューリング情報は、ＷｉＦｉモバイル・デバイスに対応するターゲット仮想アクセス・ポイントを含むステップ。
【００２２】
Ｄ．ＷｉＦｉモバイル・デバイスとターゲット仮想アクセス・ポイントとの間のワイヤレス接続を確立するステップ。
【００２３】
本発明の別の態様によると、ＷｉＦｉモバイル・デバイスのワイヤレス接続を管理するための接続制御デバイスがさらに提供され、デバイスは、以下を含む。
【００２４】
アクセス・ポイント・デバイスの仮想アクセス・ポイントのために、アクセス・ポイント・デバイスによって転送された、ＷｉＦｉモバイル・デバイスからの１つまたは複数のワイヤレス接続要求を取得するための接続要求取得装置であって、ワイヤレス接続要求は、対応する仮想アクセス・ポイントのビーコン情報を含む接続要求取得装置。
【００２５】
ワイヤレス接続要求に基づいて仮想アクセス・ポイントのアクセス関連の情報を取得するためのアクセス情報取得装置。
【００２６】
アクセス関連の情報に基づいてワイヤレス接続要求に対応するスケジューリング情報を決定するためのスケジュール決定装置であって、スケジューリング情報は、１つまたは複数の仮想アクセス・ポイントにおいてＷｉＦｉモバイル・デバイスに対応するターゲット仮想アクセス・ポイントを含むスケジュール決定装置。
【００２７】
アクセス・ポイント・デバイスにスケジューリング情報を提供するための提供装置。
【００２８】
本発明の別の態様によると、ＷｉＦｉモバイル・デバイスのワイヤレス接続を従属的に管理するためのアクセス・ポイント・デバイスがさらに提供され、デバイスは、以下を含む。
【００２９】
相互に独立した複数の仮想アクセス・ポイントを取得するために、アクセス・ポイント・デバイスで物理的なリソースを仮想化するための仮想化装置。
【００３０】
仮想アクセス・ポイントに対応する領域内で仮想アクセス・ポイントに対応するビーコン情報をブロードキャストするためのブロードキャスト装置。
【００３１】
デバイスは、以下をさらに含む。
【００３２】
複数の仮想アクセス・ポイントに対してＷｉＦｉモバイル・デバイスから１つまたは複数のワイヤレス接続要求を取得するための接続要求受信装置であって、ワイヤレス接続要求は、対応する仮想アクセス・ポイントのビーコン情報を含む接続要求受信装置。
【００３３】
対応する接続制御デバイスに、１つまたは複数のワイヤレス接続要求を送信するための接続要求送信装置。
【００３４】
１つまたは複数のワイヤレス接続要求に基づいて接続制御デバイスによって提供されるスケジューリング情報を取得するための第１のスケジュール取得装置であって、スケジューリング情報は、ＷｉＦｉモバイル・デバイスに対応するターゲット仮想アクセス・ポイントを含む第１のスケジュール取得装置。
【００３５】
ＷｉＦｉモバイル・デバイスとターゲット仮想アクセス・ポイントとの間のワイヤレス接続を確立するための接続確立装置。
【００３６】
本発明の別の態様によると、ＷｉＦｉモバイル・デバイスのワイヤレス接続を管理するためのシステムがさらに提供され、前述のような接続制御デバイス、および前述のようなアクセス・ポイント・デバイスを含む。
【００３７】
従来技術と比較して、本発明は、接続制御デバイスでＷｉＦｉモバイル・デバイスによって送られたワイヤレス接続要求を通じて、ワイヤレス接続要求に含まれる対応する仮想アクセス・ポイントのアクセス関連の情報を取得し、アクセス関連の情報によるワイヤレス接続要求に対応するスケジューリング情報を決定し、次いで、ＷｉＦｉモバイル・デバイスのワイヤレス接続要求をスケジューリングし、それによって、アクセス・ポイント・デバイスによって同時に処理されるＷｉＦｉモバイル・デバイスの数を減らし、ＷｉＦｉモバイル・デバイスの電力消費を低下させ、モバイル・デバイスの電力消費を最適化して、バッテリの耐用期間を最大限にする。
【００３８】
さらに、アクセス・ポイント・デバイスにおいてＷｉＦｉモバイル・デバイスのワイヤレス接続を従属的に管理するための方法がさらに提供され、アクセス・ポイント・デバイスは、相互に独立した複数の仮想アクセス・ポイントを取得するために、アクセス・ポイント・デバイスの物理的なリソースを仮想化し、仮想アクセス・ポイントは、仮想アクセス・ポイントに対応する領域内で仮想アクセス・ポイントに対応するビーコン情報をブロードキャストする。このようにして、物理アクセス・ポイントは、複数の仮想アクセス・ポイントの間でＷｉＦｉモバイル・デバイスを平等に割り当て、適切なときに仮想アクセス・ポイントのビーコン送信を回避し、同時にアウェイクされる省電力モードのクライアントの数を減らすために、独立したビーコンを持つ複数の仮想アクセス・ポイントへと仮想化される。
【００３９】
さらに、本発明のアクセス・ポイント・デバイスは、複数の仮想アクセス・ポイントに対してＷｉＦｉモバイル・デバイスから１つまたは複数のワイヤレス接続要求を取得し、対応する接続制御デバイスに、１つまたは複数のワイヤレス接続要求を送信し、さらに１つまたは複数のワイヤレス接続要求に基づいて接続制御デバイスによって提供されるスケジューリング情報を取得し、スケジューリング情報に基づいて、ＷｉＦｉモバイル・デバイスとターゲット仮想アクセス・ポイントとの間のワイヤレス接続を確立することができる。このようにして、アクセス・ポイント・デバイスによって同時に処理されるＷｉＦｉモバイル・デバイスの数が減り、ＷｉＦｉモバイル・デバイスの電力消費は低下し、ＷｉＦｉモバイル・デバイスの電力の消費量が最適化され、バッテリ寿命が最大限になる。
【００４０】
さらに、本発明の接続制御デバイスは、ワイヤレス接続要求に基づいて、仮想アクセス・ポイントのアクセス関連の情報を取得することができ、アクセス関連の情報は、ＷｉＦｉモバイル・デバイスに関して仮想アクセス・ポイントの信号強度情報を含む。このようにして、ワイヤレス接続要求に対応するスケジューリング情報は、信号強度情報に基づいて決定され、これにより、接続制御デバイスは、ＷｉＦｉモバイル・デバイスのために仮想アクセス・ポイントを制御および管理することを実現し、ＷｉＦｉモバイル・デバイスは、省電力モードでアクティブにスケジューリングされ、それによって、エネルギ効率が改善され、ＷｉＦｉモバイル・デバイスの電力の消費量が最適化され、バッテリ寿命が最大限になる。
【００４１】
さらに、本発明の接続制御デバイスは、ワイヤレス接続要求に基づいて、仮想アクセス・ポイントのアクセス関連の情報を取得することができ、アクセス関連の情報は、ＷｉＦｉモバイル・デバイスに関して仮想アクセス・ポイントの信号強度情報およびアクセス補助情報を含む。このようにして、ワイヤレス接続要求に対応するスケジューリング情報は、アクセス補足情報に関連して信号強度情報により、より正確に決定され、これにより接続制御デバイスは、ＷｉＦｉモバイル・デバイスのために仮想アクセス・ポイントを制御および管理することを実現し、ＷｉＦｉモバイル・デバイスは、省電力モードでアクティブにスケジューリングされ、エネルギ効率が改善され、ＷｉＦｉモバイル・デバイスの電力の消費量が最適化され、バッテリ寿命が最大限になる。
【００４２】
さらに、スケジューリング情報が、ターゲット仮想アクセス・ポイント以外に、ＷｉＦｉモバイル・デバイスに対応する他の仮想アクセス・ポイントを含む場合、アクセス・ポイント・デバイスは、ＷｉＦｉモバイル・デバイスおよび他の仮想アクセス・ポイントのワイヤレス接続要求をブロックすることができる。このようにして、アクセス・ポイントおよびＷｉＦｉモバイル・デバイスの電力消費が減る。
【００４３】
さらに、本発明は、相互に独立した複数の仮想アクセス・ポイントを取得するために、アクセス・ポイント・デバイスのリソース関係の情報に基づいて、アクセス・ポイント・デバイスで物理的なリソースを仮想化することができる。このようにして、アクセス・ポイント・デバイスによって同時に処理されるＷｉＦｉモバイル・デバイスの数が減り、これによりＷｉＦｉモバイル・デバイスの電力消費がさらに低下し、ＷｉＦｉモバイル・デバイスの電力の消費量を最適化し、バッテリ寿命を最大限にする。
【００４４】
本発明の他の機能、目的、および利点は、添付の図面に関して提供される限定を目的としない実施形態の詳細な記述を読むことによって、より明確になるであろう。
【図面の簡単な説明】
【００４５】
【図１】本発明の一態様によるＷｉＦｉモバイル・デバイスのワイヤレス接続を管理するためのシステム・アーキテクチャを示す参照図である。
【図２】本発明の一態様によるＷｉＦｉモバイル・デバイスのワイヤレス接続を管理するための接続制御デバイスおよびアクセス・ポイント・デバイスを示す概略図である。
【図３】本発明の好ましい実施形態によるＷｉＦｉモバイル・デバイスのワイヤレス接続を管理するための接続制御デバイスおよびアクセス・ポイント・デバイスを示す概略図である。
【図４】本発明の別の態様による、接続制御デバイスおよびアクセス・ポイント・デバイスの協調によって実装されるＷｉＦｉモバイル・デバイスのワイヤレス接続を管理するための方法を示す流れ図である。
【図５】本発明の好ましい実施形態による、接続制御デバイスおよびアクセス・ポイント・デバイスの協調によって実装されるＷｉＦｉモバイル・デバイスのワイヤレス接続を管理するための方法を示す流れ図である。
【発明を実施するための形態】
【００４６】
図面における同じまたは同様の引用符号は、同じまたは同様の構成部品を表している。
【００４７】
以下に、本発明の詳細について、添付の図面と組み合わせてさらに提供されるであろう。
【００４８】
図１は、本発明の一態様によるＷｉＦｉモバイル・デバイスのワイヤレス接続を管理するためのシステム・アーキテクチャの参照図を示している。
【００４９】
ここでは、システムは、１つまたは複数の仮想アクセス・ポイント（ＶＡＰ）を含み、ＶＡＰは、物理的なリソースを分割し、物理アクセス・ポイントで仮想マシンを独立して開始する仮想化技術によって構成された論理的なアクセス・ポイントである。物理アクセス・ポイント・デバイスを仮想化することによって、１つの物理アクセス・ポイントが、１つまたは複数のＶＡＰを形成することができる。各ＶＡＰは、属するドメインの構成を独立して維持する。たとえば、各ＶＡＰは、それ自身の独立したビーコンを持つ。ＶＡＰを通じて、ＷｉＦｉモバイル・デバイスは、インターネットに接続され得る。たとえば、ＶＡＰは、ＷｉＦｉモバイル・デバイスにデータ・パケットを転送するか、またはＷｉＦｉモバイル・デバイスからＶＡＰにデータ・パケットを転送する。
【００５０】
接続制御デバイスは、ＷｉＦｉモバイル・デバイスに対して１つまたは複数のＶＡＰを制御および管理するためのものである。ここでは、接続制御デバイスは、限定しないが、ネットワーク・デバイス、またはネットワークを介して複数のネットワーク・デバイスを統合することによって形成されたデバイスを含む。ここでは、ネットワーク・デバイスは、限定しないが、コンピュータ、ネットワーク・ホスト、単一のネットワーク・サーバ、複数のネットワーク・サーバの組、または複数のネットワーク・サーバによって形成されたクラウドを含む。ここで、クラウドは、クラウド・コンピューティングに基づく多数のコンピュータまたはネットワーク・サーバによって形成され、クラウド・コンピューティングは、一種の分散演算であり、これは疎結合されたコンピュータの組の群によって形成された仮想スーパー・コンピュータである。
【００５１】
接続制御デバイスは、ネットワークを介してＶＡＰに接続され、ネットワークは、限定しないが、インターネット、ワイド・エリア・ネットワーク（ＷＡＮ）、メトロポリタン・エリア・ネットワーク（ＭＡＮ）、ローカル・エリア・ネットワーク（ＬＡＮ）、仮想プライベート・ネットワーク（ＶＰＮ）、アドホック・ネットワークなどを含む。接続制御デバイスと複数のＶＡＰとの間の通信モードは、相互に独立している。
【００５２】
１つまたは複数のＶＡＰおよび接続制御デバイスは、クラウド・ネットワークを形成し、ＶＡＰは、クラウドの方法で提供される。
【００５３】
当業者は、接続制御デバイスは、１つのアクセス・ポイント・デバイスに実装され得るか（つまり、アクセス・ポイント・デバイスは、スケジューリング機能を同時に実行することができる）、またはアクセス・ポイント・デバイスと無関係に実装され得る（たとえば、接続制御デバイスは、１つまたは複数のアクセス・ポイント・デバイスにサービスを提供することができる）ことを理解するべきである。
【００５４】
当業者は、前述の接続制御デバイス、アクセス・ポイント・デバイス、その間に接続されたネットワーク、および通信モードは、代表的なものに過ぎず、他の既存または将来的な可能性として発展する接続制御デバイス、アクセス・ポイント・デバイス、その間に接続されたネットワーク、および通信モードも、本発明に適用できる場合は、本発明の保護範囲に含まれるべきであり、参照によって本明細書に組み込まれることを理解するべきである。
【００５５】
図２は、本発明の一態様によるＷｉＦｉモバイル・デバイスのワイヤレス接続を管理するための接続制御デバイスおよびアクセス・ポイント・デバイスの概略図を示しており、接続制御デバイス１は、接続要求取得装置１１、アクセス情報取得装置１２、スケジュール決定装置１３、提供装置１４を含み、アクセス・ポイント・デバイス２は、仮想化装置２１、ブロードキャスト装置２２、接続要求受信装置２３、接続要求送信装置２４、第１のスケジュール取得装置２５、接続確立装置２６を含む。接続制御デバイス１およびアクセス・ポイント・デバイス２の様々な装置は、ＷｉＦｉモバイル・デバイスのワイヤレス接続の管理を実行するために、相互に協働する。
【００５６】
具体的には、アクセス・ポイント・デバイス２の仮想化装置２１は、相互に独立した複数の仮想アクセス・ポイントを取得するために、アクセス・ポイント・デバイスで物理的なリソースを仮想化する。ブロードキャスト装置２２は、仮想アクセス・ポイントに対応する領域内で仮想アクセス・ポイントに対応するビーコン情報をブロードキャストする。接続要求受信装置２３は、複数の仮想アクセス・ポイントに対してＷｉＦｉモバイル・デバイスから１つまたは複数のワイヤレス接続要求を取得し、ワイヤレス接続要求は、対応する仮想アクセス・ポイントのビーコン情報を含む。接続要求送信装置２４は、対応する接続制御デバイスに、１つまたは複数のワイヤレス接続要求を送信する。接続制御デバイス１の接続要求取得装置１１は、アクセス・ポイント・デバイスの仮想アクセス・ポイントのために、アクセス・ポイント・デバイスによって転送された、ＷｉＦｉモバイル・デバイスからの１つまたは複数のワイヤレス接続要求を取得し、ワイヤレス接続要求は、対応する仮想アクセス・ポイントのビーコン情報を含む。アクセス情報取得装置１２は、ワイヤレス接続要求に基づいて仮想アクセス・ポイントのアクセス関連の情報を取得する。スケジュール決定装置１３は、アクセス関連の情報に基づいてワイヤレス接続要求に対応するスケジューリング情報を決定し、スケジューリング情報は、１つまたは複数の仮想アクセス・ポイントにおいてＷｉＦｉモバイル・デバイスに対応するターゲット仮想アクセス・ポイントを含む。提供装置１４は、アクセス・ポイント・デバイスにスケジューリング情報を提供する。アクセス・ポイント・デバイス２の第１のスケジュール取得装置２５は、１つまたは複数のワイヤレス接続要求に基づいて接続制御デバイスによって提供されるスケジューリング情報を取得し、スケジューリング情報は、ＷｉＦｉモバイル・デバイスに対応するターゲット仮想アクセス・ポイントを含む。接続確立装置２６は、ＷｉＦｉモバイル・デバイスとターゲット仮想アクセス・ポイントとの間のワイヤレス接続を確立する。
【００５７】
上記の装置は、その間で常に機能する。ここでは、当業者は、「常に（ｃｏｎｓｔａｎｔｌｙ）」は、アクセス・ポイント・デバイスが、複数の仮想アクセス・ポイントに対してＷｉＦｉモバイル・デバイスからの１つまたは複数のワイヤレス接続要求の取得を停止するまで、リアルタイムに、または事前設定されたか、もしくはリアルタイムに調整された機能パターン要件により、それぞれ、上記の様々な装置が、アクセス・ポイント・デバイスでワイヤレス接続要求の取得および送信を実行し、接続制御デバイスで、ワイヤレス接続要求およびアクセス関連の情報の取得、ならびにスケジューリング情報の決定および提供を実行し、アクセス・ポイント・デバイスで、スケジューリング情報の取得、およびワイヤレス接続の確立を実行することを意味することを理解するべきである。
【００５８】
アクセス・ポイント・デバイス２の仮想化装置２１は、相互に独立した複数の仮想アクセス・ポイントを取得するために、アクセス・ポイント・デバイスで物理的なリソースを仮想化する。
【００５９】
具体的には、仮想化装置２１は、アクセス・ポイント・デバイスで仮想マシンを独立して開始することができる１つまたは複数の論理的なアクセス・ポイントを形成するために、仮想化技術によってアクセス・ポイント・デバイスの物理的なリソースを分離する。各仮想アクセス・ポイントは、独立した構成情報を持っている。たとえば、各仮想アクセス・ポイントは、それ自身の独立したビーコンを持っている。たとえば、事前に定めた仮想化の解決策により、各アクセス・ポイント・デバイスは、独立した構成情報を用いるＮ個の仮想アクセス・ポイントへと仮想化される。仮想アクセス・ポイントを通じて、ＷｉＦｉモバイル・デバイスは、インターネットに接続され得る。たとえば、仮想アクセス・ポイントは、ＷｉＦｉモバイル・デバイスにデータ・パケットを転送するか、またはＷｉＦｉモバイル・デバイスから仮想アクセス・ポイントにデータ・パケットを転送する。
【００６０】
好ましくは、仮想化装置２１は、相互に独立した複数の仮想アクセス・ポイントを取得するために、アクセス・ポイント・デバイスのリソース関係の情報に基づいてアクセス・ポイント・デバイスの物理的なリソースを仮想化することができる。
【００６１】
具体的には、仮想化装置２１は、アクセス・ポイント・デバイスで仮想マシンを独立して開始することができる１つまたは複数の論理的なアクセス・ポイントを形成するために、アクセス・ポイント・デバイスのリソース関係の情報に基づいて、仮想化技術によってアクセス・ポイント・デバイスの物理的なリソースを分離することができる。各仮想アクセス・ポイントは、その独立した構成情報を持っている。たとえば、各仮想アクセス・ポイントは、それ自身の独立したビーコンを持っている。ここでは、リソース関係の情報は、限定しないが、電力情報、帯域幅情報、アクセス・ポイント・デバイスの接続され得るモバイル・デバイスの最大数などを含む。たとえば、第１のアクセス・ポイント・デバイスによって所有されるリソース情報が、第２のアクセス・ポイント・デバイスによって所有されるものを超える場合（たとえばより大きい電力）、仮想化された第１のアクセス・ポイント・デバイスによって形成される仮想アクセス・ポイントの数は、仮想化された第２のアクセス・ポイント・デバイスによるものより大きい。
【００６２】
ブロードキャスト装置２２は、仮想アクセス・ポイントに対応する領域内で仮想アクセス・ポイントに対応するビーコン情報をブロードキャストする。
【００６３】
具体的には、各仮想アクセス・ポイントは、その独立したビーコンを持っている。ブロードキャスト装置２２は、仮想アクセス・ポイントに対応する領域内で仮想アクセス・ポイントに対応するビーコン情報を定期的にブロードキャストする。ＷｉＦｉモバイル・デバイスが仮想アクセス・ポイントの対象となる領域に入ると、ＷｉＦｉモバイル・デバイスは、仮想アクセス・ポイントのビーコン情報を受信する。
【００６４】
接続要求受信装置２３は、複数の仮想アクセス・ポイントに対してＷｉＦｉモバイル・デバイスから１つまたは複数のワイヤレス接続要求を取得し、ワイヤレス接続要求は、対応する仮想アクセス・ポイントのビーコン情報を含む。
【００６５】
具体的には、接続要求受信装置２３は、ＷｉＦｉモバイル・デバイスから複数の仮想アクセス・ポイントに対してＷｉＦｉモバイル・デバイスから１つまたは複数のワイヤレス接続要求を取得し、ワイヤレス接続要求は、対応する仮想アクセス・ポイントのビーコン情報を含む。ここでは、ＷｉＦｉモバイル・デバイスは、同じアクセス・ポイント・デバイスの複数の仮想アクセス・ポイントにワイヤレス接続要求をそれぞれ送信することができ、複数のワイヤレス接続要求は、対応する仮想アクセス・ポイントのビーコン情報をそれぞれ含む。ＷｉＦｉモバイル・デバイスは、異なるアクセス・ポイント・デバイスの複数の仮想アクセス・ポイントに複数のワイヤレス接続要求を送信することができ、複数のワイヤレス接続要求は、対応する仮想アクセス・ポイントのビーコン情報をそれぞれ含む。
【００６６】
接続要求送信装置２４は、対応する接続制御デバイスに１つまたは複数のワイヤレス接続要求を送信する。
【００６７】
具体的には、接続要求送信装置２４は、たとえば８０２．１１プロトコルで指定された通信モードで、アクセス・ポイント・デバイスに対応する接続制御デバイスに、対応する仮想アクセス・ポイントを含む接続要求情報を送信し、各ワイヤレス接続要求は、ワイヤレス接続要求に対応するＷｉＦｉモバイル・デバイス情報および対応する仮想アクセス・ポイント情報を含む。
【００６８】
接続制御デバイス１の接続要求取得装置１１は、アクセス・ポイント・デバイスの仮想アクセス・ポイントのために、アクセス・ポイント・デバイスによって転送された、ＷｉＦｉモバイル・デバイスからの１つまたは複数のワイヤレス接続要求を取得し、ワイヤレス接続要求は、対応する仮想アクセス・ポイントのビーコン情報を含む。
【００６９】
具体的には、接続要求取得装置１１は、アクセス・ポイント・デバイスから、アクセス・ポイント・デバイスの仮想アクセス・ポイントに対してＷｉＦｉモバイル・デバイスから１つまたは複数のワイヤレス接続要求を取得し、ワイヤレス接続要求は、たとえば８０２．１１プロトコルで指定された通信モードにおけるアクセス・ポイント・デバイスによって送信される。ここでは、ワイヤレス接続要求は、同じアクセス・ポイント・デバイスから送られた１つまたは複数のワイヤレス接続要求、または異なるアクセス・ポイント・デバイスから送られた１つまたは複数のワイヤレス接続要求の場合がある。
【００７０】
アクセス情報取得装置１２は、ワイヤレス接続要求に基づいて仮想アクセス・ポイントのアクセス関連の情報を取得する。
【００７１】
具体的には、アクセス情報取得装置１２は、ワイヤレス接続要求に含まれる仮想アクセス・ポイント情報に基づいて、ワイヤレス接続要求により仮想アクセス・ポイントとの対話を通じて、仮想アクセス・ポイントのアクセス関連の情報を取得する。
【００７２】
好ましくは、アクセス関連の情報は、ＷｉＦｉモバイル・デバイスに関して仮想アクセス・ポイントの信号強度情報を含む。
【００７３】
より好ましくは、アクセス関連の情報は、ＷｉＦｉモバイル・デバイスに関して仮想アクセス・ポイントの信号強度情報およびアクセス補助情報を含み、アクセス補足情報は、以下の少なくとも１つを含む。
【００７４】
−  ＷｉＦｉモバイル・デバイスおよび／またはアクセス・ポイント・デバイスに対応する位置情報。位置情報は、たとえば、ＧＰＳ測位に基づいて取得された、または他の既に配置されているワイヤレス・アクセス・デバイス（たとえばＷｉＦｉ）に基づいて測位によって取得された位置情報である。
【００７５】
−  アクセス・ポイント・デバイスおよび／または仮想アクセス・ポイントに対応する負荷関連の情報。負荷関連の情報は、数、電力情報、帯域幅情報など、たとえば、アクセス・ポイント・デバイスおよび／または仮想アクセス・ポイントに現在接続されているＷｉＦｉモバイル・デバイスの情報である。
【００７６】
スケジュール決定装置１３は、アクセス関連の情報に基づいてワイヤレス接続要求に対応するスケジューリング情報を決定し、スケジューリング情報は、１つまたは複数の仮想アクセス・ポイントにおいてＷｉＦｉモバイル・デバイスに対応するターゲット仮想アクセス・ポイントを含む。
【００７７】
具体的には、スケジュール決定装置１３は、事前に選択された方法によりアクセス関連の情報に基づいてワイヤレス接続要求に対応するスケジュール情報を決定し、それによって、明確な（ｐｏｓｉｔｉｖｅ）スケジュール方法を実行する。たとえば、アクセス関連の情報がＷｉＦｉモバイル・デバイスに関して仮想アクセス・ポイントの信号強度情報を含んでいる場合、スケジュール決定装置１３は、ＷｉＦｉモバイル・デバイスに対応するターゲット仮想アクセス・ポイントとして最も高い強度情報を持つ仮想アクセス・ポイントを選択する。アクセス関連の情報がＷｉＦｉモバイル・デバイスに関して仮想アクセス・ポイントの信号強度情報およびアクセス補助情報を含んでいる場合、スケジュール決定装置１３は、アクセス補助情報とともに信号強度情報に基づいて、ＷｉＦｉモバイル・デバイスに対応するターゲット仮想アクセス・ポイントを決定する。ここでは、たとえば、ＷｉＦｉモバイル・デバイスに関して２つの仮想アクセス・ポイントの信号強度情報が同一の場合、低い負荷関連の情報を持つ仮想アクセス・ポイントがターゲット・アクセス・ポイントとして選択される。仮想アクセス・ポイントが異なるアクセス・ポイント・デバイスに対応する場合、低い負荷を持つアクセス・ポイント・デバイスに対応する仮想アクセス・ポイントも、アクセス・ポイント・デバイスの負荷関連の情報に基づいてターゲット・アクセス・ポイントとして選択され得る。または、たとえば、ＷｉＦｉモバイル・デバイスに関して２つの仮想アクセス・ポイントの信号強度情報が同一の場合、ＷｉＦｉモバイル・デバイスにより近く位置するアクセス・ポイント・デバイスに対応する仮想アクセス・ポイントは、ターゲット・アクセス・ポイントとして選択される、など。
【００７８】
上記の実施例は、本発明を制限するためのものではなく、本発明の技術的解決策についてより詳しく説明することのみを目的としている。当業者は、本発明の範囲に含まれるべき、アクセス関連の情報に基づいてワイヤレス接続要求に対応するスケジューリング情報を決定する実装を理解するべきである
【００７９】
提供装置１４は、アクセス・ポイント・デバイスにスケジューリング情報を提供する。
【００８０】
具体的には、提供装置１４は、たとえば８０２．１１プロトコルで指定されるような通信モードでワイヤレス接続要求に対応するアクセス・ポイント・デバイスにターゲット仮想アクセス・ポイントを含むスケジューリング情報を送信する。
【００８１】
第１のスケジュール取得装置２５は、１つまたは複数のワイヤレス接続要求に基づいて接続制御デバイスによって提供されるスケジューリング情報を取得し、スケジューリング情報は、ＷｉＦｉモバイル・デバイスに対応するターゲット仮想アクセス・ポイントを含む。
【００８２】
具体的には、第１のスケジュール取得装置２５は、たとえば８０２．１１プロトコルで指定された通信モードで１つまたは複数のワイヤレス接続要求に基づいて提供されるように接続制御デバイス１によって送られたスケジューリング情報を取得し、スケジューリング情報は、ＷｉＦｉモバイル・デバイスに対応するターゲット仮想アクセス・ポイントを含み、ターゲット仮想アクセス・ポイントは、アクセス・ポイント・デバイス２に属する。
【００８３】
接続確立装置２６は、ＷｉＦｉモバイル・デバイスとターゲット仮想アクセス・ポイントとの間のワイヤレス接続を確立する。
【００８４】
具体的には、接続確立装置２６は、スケジューリング情報に基づいてＷｉＦｉモバイル・デバイスとターゲット仮想アクセス・ポイントとの間のワイヤレス接続を確立する。
【００８５】
図３は、本発明の好ましい実施形態によるＷｉＦｉモバイル・デバイスのワイヤレス接続を管理するための接続制御デバイスおよびアクセス・ポイント・デバイスの概略図を示しており、接続制御デバイス１は、接続要求取得装置１１’、アクセス情報取得装置１２’、スケジュール決定装置１３’、提供装置１４’を含み、アクセス・ポイント・デバイス２は、仮想化装置２１’、ブロードキャスト装置２２’、接続要求受信装置２３’、接続要求送信装置２４’、第１のスケジュール取得装置２５’、接続確立装置２６’、第２のスケジュール取得装置２７’、要求ブロッキング装置２８’を含む。接続制御デバイス１およびアクセス・ポイント・デバイス２の様々な装置は、ＷｉＦｉモバイル・デバイスのワイヤレス接続の管理を実行するために、相互に協働する。
【００８６】
具体的には、アクセス・ポイント・デバイス２の仮想化装置２１’は、相互に独立した複数の仮想アクセス・ポイントを取得するために、アクセス・ポイント・デバイスで物理的なリソースを仮想化する。ブロードキャスト装置２２’は、仮想アクセス・ポイントに対応する領域内で仮想アクセス・ポイントに対応するビーコン情報をブロードキャストする。接続要求受信装置２３’は、複数の仮想アクセス・ポイントに対してＷｉＦｉモバイル・デバイスから１つまたは複数のワイヤレス接続要求を取得し、ワイヤレス接続要求は、対応する仮想アクセス・ポイントのビーコン情報を含む。接続要求送信装置２４’は、対応する接続制御デバイスに１つまたは複数のワイヤレス接続要求を送信する。接続制御デバイス１の接続要求取得装置１１’は、アクセス・ポイント・デバイスの仮想アクセス・ポイントのために、アクセス・ポイント・デバイスによって転送された、ＷｉＦｉモバイル・デバイスからの１つまたは複数のワイヤレス接続要求を取得し、ワイヤレス接続要求は、対応する仮想アクセス・ポイントのビーコン情報を含む。アクセス情報取得装置１２’は、ワイヤレス接続要求に基づいて仮想アクセス・ポイントのアクセス関連の情報を取得する。スケジュール決定装置１３’は、アクセス関連の情報に基づいてワイヤレス接続要求に対応するスケジューリング情報を決定し、スケジューリング情報は、１つまたは複数の仮想アクセス・ポイントにおいてＷｉＦｉモバイル・デバイスに対応するターゲット仮想アクセス・ポイントを含む。提供装置１４’は、アクセス・ポイント・デバイスにスケジューリング情報を提供する。アクセス・ポイント・デバイス２の第１のスケジュール取得装置２５’は、１つまたは複数のワイヤレス接続要求に基づいて接続制御デバイスによって提供されるスケジューリング情報を取得し、スケジューリング情報は、ＷｉＦｉモバイル・デバイスに対応するターゲット仮想アクセス・ポイントを含む。接続確立装置２６’は、ＷｉＦｉモバイル・デバイスとターゲット仮想アクセス・ポイントとの間のワイヤレス接続を確立する。第２のスケジュール取得装置２７’は、１つまたは複数のワイヤレス接続要求に基づいて接続制御デバイスによって提供されるスケジューリング情報を取得し、スケジューリング情報は、ターゲット仮想アクセス・ポイント以外に、ＷｉＦｉモバイル・デバイスに対応する他の仮想アクセス・ポイントを含む。要求ブロッキング装置２８’は、スケジューリング情報に基づいてＷｉＦｉモバイル・デバイスおよび他の仮想アクセス・ポイントのワイヤレス接続要求をブロックする。
【００８７】
上記の装置は、その間で常に機能する。当業者は、「常に（ｃｏｎｓｔａｎｔｌｙ）」は、それぞれ、アクセス・ポイント・デバイスが、複数の仮想アクセス・ポイントに対してＷｉＦｉモバイル・デバイスからの１つまたは複数のワイヤレス接続要求の取得を停止するまで、リアルタイムに、または事前設定されたか、もしくはリアルタイムに調整された機能パターン要件により、上記の様々な装置が、アクセス・ポイント・デバイスでワイヤレス接続要求の取得および送信を実行し、接続制御デバイスで、ワイヤレス接続要求およびアクセス関連の情報の取得、ならびにスケジューリング情報の決定および提供を実行し、アクセス・ポイント・デバイスで、スケジューリング情報の取得、ワイヤレス接続の確立、またはワイヤレス接続要求のブロッキングを実行することを意味することを理解するべきである。
【００８８】
本明細書において、接続制御デバイス１の接続要求取得装置１１’、アクセス情報取得装置１２’、スケジュール決定装置’１３、提供装置１４’およびアクセス・ポイント・デバイス２の仮想化装置２１’、ブロードキャスト装置２２’、接続要求受信装置２３’、接続要求送信装置２４’、第１のスケジュール取得装置２５’、接続確立装置２６’は、図１に示した対応する装置と同一か、または本質的に同一であり、したがって、本明細書には詳述しないが、参照によって本明細書に組み込まれる。
【００８９】
第２のスケジュール取得装置２７’は、１つまたは複数のワイヤレス接続要求に基づいて接続制御デバイスによって提供されるスケジューリング情報を取得し、スケジューリング情報は、ターゲット仮想アクセス・ポイント以外に、ＷｉＦｉモバイル・デバイスに対応する他の仮想アクセス・ポイントを含む。
【００９０】
具体的には、第２のスケジュール取得装置２７’は、たとえば８０２．１１プロトコルで指定されるような通信モードで１つまたは複数のワイヤレス接続要求に基づいて提供されるように接続制御デバイス１によって送られるスケジューリング情報を取得し、スケジューリング情報は、ターゲット仮想アクセス・ポイント以外に、ＷｉＦｉモバイル・デバイスに対応する他の仮想アクセス・ポイントを含み、他の仮想アクセス・ポイントは、アクセス・ポイント・デバイス２に属する。
【００９１】
要求ブロッキング装置２８’は、スケジューリング情報に基づいてＷｉＦｉモバイル・デバイスおよび他の仮想アクセス・ポイントのワイヤレス接続要求をブロックする。
【００９２】
具体的には、要求ブロッキング装置２８’は、たとえば、ブロッキング・リストにＷｉＦｉモバイル・デバイスを追加することによって、スケジューリング情報に基づいて、ＷｉＦｉモバイル・デバイスにビーコン情報をブロードキャストすることを停止し、それによって、ＷｉＦｉモバイル・デバイスおよび他の仮想アクセス・ポイントのワイヤレス接続要求をブロックする。
【００９３】
ここでは、当業者は、同じアクセス・ポイント・デバイスの第１のスケジュール取得装置２５’、接続確立装置２６’、第２のスケジュール取得装置２７’、および要求ブロッキング装置２８’について、アクセス・ポイント・デバイスによって受信されたスケジューリング情報に基づいて、これらはスケジューリング情報に対応する仮想アクセス・ポイントをスケジューリングするべきアクセス・ポイント・デバイスの共通の装置として機能することができることを理解するべきである。これらは、また、異なる仮想アクセス・ポイント、たとえば第１のスケジュール取得装置２５’に属することができ、接続確立装置２６’は、ターゲット仮想アクセス・ポイントに属する。第２のスケジュール取得装置２７’および要求ブロッキング装置２８’は、他の仮想アクセス・ポイントに属する。またはターゲット仮想アクセス・ポイントもしくは他の仮想アクセス・ポイントは両方、第１のスケジュール取得装置２５’、接続確立装置２６’、第２のスケジュール取得装置２７’、および要求ブロッキング装置２８’を含むため、対応する装置は、異なるスケジュール要求に基づいて対応する動作を実行する。
【００９４】
図４は、本発明の別の態様による、接続制御デバイスおよびアクセス・ポイント・デバイスの協調によって実装されたＷｉＦｉモバイル・デバイスのワイヤレス接続を管理するための方法の流れ図を示している。
【００９５】
具体的には、ステップｓ１では、アクセス・ポイント・デバイス２は、相互に独立した複数の仮想アクセス・ポイントを取得するために、アクセス・ポイント・デバイスで物理的なリソースを仮想化する。ステップｓ２で、アクセス・ポイント・デバイス２は、仮想アクセス・ポイントに対応する領域内で仮想アクセス・ポイントに対応するビーコン情報をブロードキャストする。ステップｓ３で、アクセス・ポイント・デバイス２は、複数の仮想アクセス・ポイントに対してＷｉＦｉモバイル・デバイスから１つまたは複数のワイヤレス接続要求を取得し、ワイヤレス接続要求は、対応する仮想アクセス・ポイントのビーコン情報を含む。ステップｓ４で、アクセス・ポイント・デバイス２は、対応する接続制御デバイスに１つまたは複数のワイヤレス接続要求を送信する。したがって、ステップｓ４では、接続制御デバイス１は、アクセス・ポイント・デバイスの仮想アクセス・ポイントのために、アクセス・ポイント・デバイスによって転送された、ＷｉＦｉモバイル・デバイスからの１つまたは複数のワイヤレス接続要求を取得し、ワイヤレス接続要求は、対応する仮想アクセス・ポイントのビーコン情報を含む。ステップｓ５で、接続制御デバイス１は、ワイヤレス接続要求に基づいて仮想アクセス・ポイントのアクセス関連の情報を取得する。ステップｓ６で、接続制御デバイス１は、アクセス関連の情報に基づいてワイヤレス接続要求に対応するスケジューリング情報を決定し、スケジューリング情報は、１つまたは複数の仮想アクセス・ポイントにおいてＷｉＦｉモバイル・デバイスに対応するターゲット仮想アクセス・ポイントを含む。ステップｓ７で、接続制御デバイス１は、アクセス・ポイント・デバイスにスケジューリング情報を提供する。したがって、ステップｓ７で、アクセス・ポイント・デバイス２は、１つまたは複数のワイヤレス接続要求に基づいて接続制御デバイスによって提供されるスケジューリング情報を取得し、スケジューリング情報は、ＷｉＦｉモバイル・デバイスに対応するターゲット仮想アクセス・ポイントを含む。ステップｓ８で、アクセス・ポイント・デバイス２は、ＷｉＦｉモバイル・デバイスとターゲット仮想アクセス・ポイントとの間のワイヤレス接続を確立する。
【００９６】
上記のステップは絶えずその間に作動する。ここで、当業者は、「常に（ｃｏｎｓｔａｎｔｌｙ）」は、それぞれ、アクセス・ポイント・デバイスが、複数の仮想アクセス・ポイントに対してＷｉＦｉモバイル・デバイスからの１つまたは複数のワイヤレス接続要求の取得を停止するまで、リアルタイムに、または事前設定されたか、もしくはリアルタイムに調整された機能パターン要件により、上記の様々なステップが、アクセス・ポイント・デバイスでワイヤレス接続要求の取得および送信を実行し、接続制御デバイスで、ワイヤレス接続要求およびアクセス関連の情報の取得、ならびにスケジューリング情報の決定および提供を実行し、アクセス・ポイント・デバイスで、スケジューリング情報の取得、およびワイヤレス接続の確立を実行することを意味することを理解するべきである。
【００９７】
ステップｓ１で、アクセス・ポイント・デバイス２は、相互に独立した複数の仮想アクセス・ポイントを取得するために、アクセス・ポイント・デバイスで物理的なリソースを仮想化する。
【００９８】
具体的には、ステップｓ１では、アクセス・ポイント・デバイス２は、アクセス・ポイント・デバイスで仮想マシンを独立して開始することができる１つまたは複数の論理的なアクセス・ポイントを形成するために、仮想化技術によってアクセス・ポイント・デバイスの物理的なリソースを分離する。各仮想アクセス・ポイントは、独立した構成情報を持っている。たとえば、各仮想アクセス・ポイントは、それ自身の独立したビーコンを持っている。たとえば、事前に定めた仮想化の解決策により、各アクセス・ポイント・デバイスは、独立した構成情報を用いてＮ個の仮想アクセス・ポイントへと仮想化される。仮想アクセス・ポイントを通じて、ＷｉＦｉモバイル・デバイスは、インターネットに接続され得る。たとえば、仮想アクセス・ポイントは、ＷｉＦｉモバイル・デバイスにデータ・パケットを転送するか、またはＷｉＦｉモバイル・デバイスから仮想アクセス・ポイントにデータ・パケットを転送する。
【００９９】
好ましくは、ステップｓ１で、アクセス・ポイント・デバイス２は、相互に独立した複数の仮想アクセス・ポイントを取得するために、アクセス・ポイント・デバイスのリソース関係の情報に基づいてアクセス・ポイント・デバイスで物理的なリソースを仮想化することができる。
【０１００】
具体的には、ステップｓ１で、アクセス・ポイント・デバイス２は、アクセス・ポイント・デバイスの仮想マシンを独立して開始することができる１つまたは複数の論理的なアクセス・ポイントを形成するために、アクセス・ポイント・デバイスのリソース関係の情報に基づいて仮想化技術によってアクセス・ポイント・デバイスの物理的なリソースを分離することができる。各仮想アクセス・ポイントは、その独立した構成情報を持っている。たとえば、各仮想アクセス・ポイントは、それ自身の独立したビーコンを持っている。ここでは、リソース関係の情報は、限定しないが、電力情報、帯域幅情報、アクセス・ポイント・デバイスの接続され得るモバイル・デバイスの最大数などを含む。たとえば、第１のアクセス・ポイント・デバイスによって所有されるリソース情報が、第２のアクセス・ポイント・デバイスによって所有されるものを超える場合（たとえばより大きい電力）、仮想化された第１のアクセス・ポイント・デバイスによって形成される仮想アクセス・ポイントの数は、仮想化された第２のアクセス・ポイント・デバイスによるものより大きい。
【０１０１】
ステップｓ２で、アクセス・ポイント・デバイス２は、仮想アクセス・ポイントに対応する領域内で仮想アクセス・ポイントに対応するビーコン情報をブロードキャストする。
【０１０２】
具体的には、各仮想アクセス・ポイントは、その独立したビーコンを持っている。ステップｓ２で、アクセス・ポイント・デバイス２は、仮想アクセス・ポイントに対応する領域内で仮想アクセス・ポイントに対応するビーコン情報を定期的にブロードキャストする。ＷｉＦｉモバイル・デバイスが仮想アクセス・ポイントの対象となる領域に入ると、ＷｉＦｉモバイル・デバイスは、仮想アクセス・ポイントのビーコン情報を受信する。
【０１０３】
ステップｓ３で、アクセス・ポイント・デバイス２は、複数の仮想アクセス・ポイントに対してＷｉＦｉモバイル・デバイスから１つまたは複数のワイヤレス接続要求を取得し、ワイヤレス接続要求は、対応する仮想アクセス・ポイントのビーコン情報を含む。
【０１０４】
具体的には、ステップｓ３で、アクセス・ポイント・デバイス２は、ＷｉＦｉモバイル・デバイスから複数の仮想アクセス・ポイントへのＷｉＦｉモバイル・デバイスの１つまたは複数のワイヤレス接続要求を取得し、ワイヤレス接続要求は、対応する仮想アクセス・ポイントのビーコン情報を含む。ここでは、ＷｉＦｉモバイル・デバイスは、同じアクセス・ポイント・デバイスの複数の仮想アクセス・ポイントにワイヤレス接続要求をそれぞれ送信することができ、複数のワイヤレス接続要求は、対応する仮想アクセス・ポイントのビーコン情報をそれぞれ含む。ＷｉＦｉモバイル・デバイスは、異なるアクセス・ポイント・デバイスの複数の仮想アクセス・ポイントに複数のワイヤレス接続要求を送信することができ、複数のワイヤレス接続要求は、対応する仮想アクセス・ポイントのビーコン情報をそれぞれ含む。
【０１０５】
ステップｓ４で、アクセス・ポイント・デバイス２は、対応する接続制御デバイスに１つまたは複数のワイヤレス接続要求を送信する。
【０１０６】
具体的には、ステップｓ４で、アクセス・ポイント・デバイス２は、たとえば８０２．１１プロトコルで指定された通信モードでアクセス・ポイント・デバイスに対応する接続制御デバイスに、対応する仮想アクセス・ポイントを含む接続要求情報を送信し、各ワイヤレス接続要求は、ワイヤレス接続要求に対応するＷｉＦｉモバイル・デバイス情報および対応する仮想アクセス・ポイント情報を含む。
【０１０７】
したがって、ステップｓ４で、接続制御デバイス１は、アクセス・ポイント・デバイスの仮想アクセス・ポイントのために、アクセス・ポイント・デバイスによって転送された、ＷｉＦｉモバイル・デバイスからの１つまたは複数のワイヤレス接続要求を取得し、ワイヤレス接続要求は、対応する仮想アクセス・ポイントのビーコン情報を含む。
【０１０８】
具体的には、ステップｓ４で、接続制御デバイス１は、アクセス・ポイント・デバイスから、アクセス・ポイント・デバイスの仮想アクセス・ポイントに対してＷｉＦｉモバイル・デバイスから１つまたは複数のワイヤレス接続要求を取得し、ワイヤレス接続要求は、たとえば８０２．１１プロトコルで指定された通信モードにおけるアクセス・ポイント・デバイスによって送信される。ここでは、ワイヤレス接続要求は、同じアクセス・ポイント・デバイスから送られた１つもしくは複数のワイヤレス接続要求、または異なるアクセス・ポイント・デバイスから送られた１つもしくは複数のワイヤレス接続要求の場合がある。
【０１０９】
ステップｓ５で、接続制御デバイス１は、ワイヤレス接続要求に基づいて仮想アクセス・ポイントのアクセス関連の情報を取得する。
【０１１０】
具体的には、ステップｓ５で、接続制御デバイス１は、ワイヤレス接続要求に含まれる仮想アクセス・ポイント情報に基づいて、ワイヤレス接続要求により仮想アクセス・ポイントとの対話を通じて、仮想アクセス・ポイントのアクセス関連の情報を取得する。
【０１１１】
好ましくは、アクセス関連の情報は、ＷｉＦｉモバイル・デバイスに関して仮想アクセス・ポイントの信号強度情報を含む。
【０１１２】
より好ましくは、アクセス関連の情報は、ＷｉＦｉモバイル・デバイスに関して仮想アクセス・ポイントの信号強度情報およびアクセス補助情報を含み、アクセス補足情報は、以下の少なくとも１つを含む。
【０１１３】
−  ＷｉＦｉモバイル・デバイスおよび／またはアクセス・ポイント・デバイスに対応する位置情報。位置情報は、たとえば、ＧＰＳ測位に基づいて取得された、または他の既に配置されているワイヤレス・アクセス・デバイス（たとえばＷｉＦｉ）に基づいて測位によって取得された位置情報である。
【０１１４】
−  アクセス・ポイント・デバイスおよび／または仮想アクセス・ポイントに対応する負荷関連の情報。負荷関連の情報は、数、電力情報、帯域幅情報など、たとえば、アクセス・ポイント・デバイスおよび／または仮想アクセス・ポイントに現在接続されているＷｉＦｉモバイル・デバイスの情報である。
【０１１５】
ステップｓ６で、接続制御デバイス１は、アクセス関連の情報に基づいてワイヤレス接続要求に対応するスケジューリング情報を決定し、スケジューリング情報は、１つまたは複数の仮想アクセス・ポイントにおいてＷｉＦｉモバイル・デバイスに対応するターゲット仮想アクセス・ポイントを含む。
【０１１６】
具体的には、ステップｓ６で、接続制御デバイス１は、事前に選択された方法によりアクセス関連の情報に基づいてワイヤレス接続要求に対応するスケジュール情報を決定し、それによって、明確なスケジュール方法を実行する。たとえば、アクセス関連の情報がＷｉＦｉモバイル・デバイスに関して仮想アクセス・ポイントの信号強度情報を含んでいる場合、ステップｓ６で、接続制御デバイス１は、ＷｉＦｉモバイル・デバイスに対応するターゲット仮想アクセス・ポイントとして最も高い強度情報を持つ仮想アクセス・ポイントを選択する。アクセス関連の情報がＷｉＦｉモバイル・デバイスに関して仮想アクセス・ポイントの信号強度情報およびアクセス補助情報を含んでいる場合、ステップｓ６で、接続制御デバイス１は、アクセス補助情報とともに信号強度情報に基づいてＷｉＦｉモバイル・デバイスに対応するターゲット仮想アクセス・ポイントを決定する。ここでは、たとえば、ＷｉＦｉモバイル・デバイスに関して２つの仮想アクセス・ポイントの信号強度情報が同一の場合、低い負荷関連の情報を持つ仮想アクセス・ポイントがターゲット・アクセス・ポイントとして選択される。仮想アクセス・ポイントが異なるアクセス・ポイント・デバイスに対応する場合、低い負荷を持つアクセス・ポイント・デバイスに対応する仮想アクセス・ポイントも、アクセス・ポイント・デバイスの負荷関連の情報に基づいてターゲット・アクセス・ポイントとして選択され得る。またはたとえば、ＷｉＦｉモバイル・デバイスに関して２つの仮想アクセス・ポイントの信号強度情報が同一の場合、ＷｉＦｉモバイル・デバイスにより近く位置するアクセス・ポイント・デバイスに対応する仮想アクセス・ポイントは、ターゲット・アクセス・ポイントとして選択される、など。
【０１１７】
上記の実施例は、本発明を制限するためのものではなく、本発明の技術的解決策についてより詳しく説明することのみを目的としていることを理解されるであろう。当業者は、本発明の範囲内に含まれるべき、アクセス関連の情報に基づいてワイヤレス接続要求に対応するスケジューリング情報を決定する実装を理解するべきである。
【０１１８】
ステップｓ７で、接続制御デバイス１は、アクセス・ポイント・デバイスにスケジューリング情報を提供する。
【０１１９】
具体的には、ステップｓ７で、接続制御デバイス１は、たとえば８０２．１１プロトコルで指定されるような通信モードでワイヤレス接続要求に対応するアクセス・ポイント・デバイスに、ターゲット仮想アクセス・ポイントを含むスケジューリング情報を送信する。
【０１２０】
したがって、ステップｓ７で、アクセス・ポイント・デバイス２は、１つまたは複数のワイヤレス接続要求に基づいて接続制御デバイスによって提供されるスケジューリング情報を取得し、スケジューリング情報は、ＷｉＦｉモバイル・デバイスに対応するターゲット仮想アクセス・ポイントを含む。
【０１２１】
具体的には、ステップｓ７で、アクセス・ポイント・デバイス２は、たとえば８０２．１１プロトコルで指定された通信モードで１つまたは複数のワイヤレス接続要求に基づいて提供されるように接続制御デバイス１によって送られたスケジューリング情報を取得し、スケジューリング情報は、ＷｉＦｉモバイル・デバイスに対応するターゲット仮想アクセス・ポイントを含み、ターゲット仮想アクセス・ポイントは、アクセス・ポイント・デバイス２に属する。
【０１２２】
ステップｓ８で、アクセス・ポイント・デバイス２は、ＷｉＦｉモバイル・デバイスとターゲット仮想アクセス・ポイントとの間のワイヤレス接続を確立する。
【０１２３】
具体的には、ステップｓ８で、アクセス・ポイント・デバイス２は、スケジューリング情報に基づいてＷｉＦｉモバイル・デバイスとターゲット仮想アクセス・ポイントとの間のワイヤレス接続を確立する。
【０１２４】
図５は、本発明の好ましい実施形態により、接続制御デバイスおよびアクセス・ポイント・デバイスの協調によって実装されたＷｉＦｉモバイル・デバイスのワイヤレス接続を管理するための方法の流れ図を示しており、アクセス・ポイント・デバイス２は、仮想アクセス・ポイント１および仮想アクセス・ポイント２を含む。
【０１２５】
具体的には、ステップｓ２１’で、アクセス・ポイント・デバイス２の仮想アクセス・ポイント１は、仮想アクセス・ポイントに対応する領域内で仮想アクセス・ポイント１に対応するビーコン情報をブロードキャストする。ステップｓ２２’で、アクセス・ポイント・デバイス２の仮想アクセス・ポイント２は、仮想アクセス・ポイントに対応する領域内で仮想アクセス・ポイント２に対応するビーコン情報をブロードキャストする。ステップｓ３１’で、アクセス・ポイント・デバイス２の仮想アクセス・ポイント１は、複数の仮想アクセス・ポイント１に対してＷｉＦｉモバイル・デバイスから１つまたは複数のワイヤレス接続要求を取得し、ワイヤレス接続要求は、対応する仮想アクセス・ポイント１のビーコン情報を含む。ステップｓ３２’で、アクセス・ポイント・デバイス２の仮想アクセス・ポイント２は、複数の仮想アクセス・ポイント２に対してＷｉＦｉモバイル・デバイスから１つまたは複数のワイヤレス接続要求を取得し、ワイヤレス接続要求は、対応する仮想アクセス・ポイント２のビーコン情報を含む。ステップｓ４１’で、アクセス・ポイント・デバイス２の仮想アクセス・ポイント１は、対応する接続制御デバイスに１つまたは複数のワイヤレス接続要求を送信する。したがって、ステップｓ４１’で、接続制御デバイス１は、アクセス・ポイント・デバイスの仮想アクセス・ポイント１に対してＷｉＦｉモバイル・デバイスから１つまたは複数のワイヤレス接続要求を取得し、ワイヤレス接続要求は、アクセス・ポイント・デバイスによって送られ、対応する仮想アクセス・ポイントのビーコン情報を含む。ステップｓ４２’で、アクセス・ポイント・デバイス２の仮想アクセス・ポイント２は、対応する接続制御デバイスに１つまたは複数のワイヤレス接続要求を送信する。したがって、ステップｓ４２’で、接続制御デバイス１は、アクセス・ポイント・デバイスの仮想アクセス・ポイント２に対してＷｉＦｉモバイル・デバイスから１つまたは複数のワイヤレス接続要求を取得し、ワイヤレス接続要求は、アクセス・ポイント・デバイスによって送られ、対応する仮想アクセス・ポイントのビーコン情報を含む。ステップｓ５１’で、接続制御デバイス１は、ワイヤレス接続要求に基づいて仮想アクセス・ポイント１のアクセス関連の情報を取得する。ステップｓ５２’で、接続制御デバイス１は、ワイヤレス接続要求に基づいて仮想アクセス・ポイント２のアクセス関連の情報を取得する。ステップｓ６’で、接続制御デバイス１は、アクセス関連の情報に基づいてワイヤレス接続要求に対応するスケジューリング情報を決定し、スケジューリング情報は、１つまたは複数の仮想アクセス・ポイントにおいてＷｉＦｉモバイル・デバイスに対応するターゲット仮想アクセス・ポイントを含む。ステップｓ７１’で、接続制御デバイス１は、アクセス・ポイント・デバイス２の仮想アクセス・ポイント１にスケジューリング情報を提供する。したがって、ステップｓ７１’で、アクセス・ポイント・デバイス２の仮想アクセス・ポイント１は、１つまたは複数のワイヤレス接続要求に基づいて接続制御デバイスによって提供されるスケジューリング情報を取得し、スケジューリング情報は、ＷｉＦｉモバイル・デバイスに対応するターゲット仮想アクセス・ポイントを含む。ステップｓ８’で、アクセス・ポイント・デバイス２の仮想アクセス・ポイント１は、ＷｉＦｉモバイル・デバイスとターゲット仮想アクセス・ポイントとの間のワイヤレス接続を確立する。ステップｓ７２’で、接続制御デバイス１は、アクセス・ポイント・デバイス２の仮想アクセス・ポイント２にスケジューリング情報を提供する。したがって、ステップｓ７２’で、アクセス・ポイント・デバイス２の仮想アクセス・ポイント２は、１つまたは複数のワイヤレス接続要求に基づいて接続制御デバイスによって提供されるスケジューリング情報を取得し、スケジューリング情報は、ターゲット仮想アクセス・ポイント以外に、ＷｉＦｉモバイル・デバイスに対応する他の仮想アクセス・ポイントを含む。ステップｓ９’で、アクセス・ポイント・デバイス２の仮想アクセス・ポイント２は、スケジューリング情報に基づいてＷｉＦｉモバイル・デバイスおよび他の仮想アクセス・ポイントのワイヤレス接続要求をブロックする。
【０１２６】
本明細書において、ステップｓ２１’およびステップｓ２２’は、図４に示すステップｓ２と同一か、または本質的に同一である。ステップｓ３１’およびステップｓ３２’は、図４に示すステップｓ３と同一か、または本質的に同一である。ステップｓ４１’およびステップｓ４２’は、図４に示すステップｓ４と同一か、または本質的に同一である。ステップｓ５１’およびステップｓ５２’は、図４に示すステップｓ５と同一か、または本質的に同一である。ステップｓ６’は、図４に示すステップｓ６と同一か、または本質的に同一である。ステップｓ７１’は、図４に示すステップｓ７と同一か、または本質的に同一である。ステップｓ８’は、図４に示すステップｓ８と同一か、または本質的に同一である。これらについて本明細書には詳述しないが、参照によって本明細書に組み込まれる。
【０１２７】
上記のステップは絶えずその間に作動する。ここで、当業者は、「常に（ｃｏｎｓｔａｎｔｌｙ）」は、それぞれ、アクセス・ポイント・デバイスが、複数の仮想アクセス・ポイントに対してＷｉＦｉモバイル・デバイスからの１つまたは複数のワイヤレス接続要求の取得を停止するまで、リアルタイムに、または事前設定されたか、もしくはリアルタイムに調整された機能パターン要件により、上記の様々なステップが、アクセス・ポイント・デバイスでワイヤレス接続要求の取得および送信を実行し、接続制御デバイスで、ワイヤレス接続要求およびアクセス関連の情報の取得、ならびにスケジューリング情報の決定および提供を実行し、アクセス・ポイント・デバイスで、スケジューリング情報の取得、ワイヤレス接続の確立、またはワイヤレス接続要求のブロッキングを実行することを理解するべきである。
【０１２８】
ステップｓ７２’で、アクセス・ポイント・デバイス２の仮想アクセス・ポイント２は、１つまたは複数のワイヤレス接続要求に基づいて接続制御デバイスによって提供されるスケジューリング情報を取得し、スケジューリング情報は、ターゲット仮想アクセス・ポイント以外に、ＷｉＦｉモバイル・デバイスに対応する他の仮想アクセス・ポイントを含む。
【０１２９】
具体的には、ステップｓ７２’で、アクセス・ポイント・デバイス２の仮想アクセス・ポイント２は、たとえば８０２．１１プロトコルで指定されるような通信モードで１つまたは複数のワイヤレス接続要求に基づいて提供されるように接続制御デバイス１によって送られたスケジューリング情報を取得し、スケジューリング情報は、ターゲット仮想アクセス・ポイント以外に、ＷｉＦｉモバイル・デバイスに対応する他の仮想アクセス・ポイントを含み、他の仮想アクセス・ポイントは、アクセス・ポイント・デバイス２に属する。
【０１３０】
ステップｓ９’で、アクセス・ポイント・デバイス２の仮想アクセス・ポイント２は、スケジューリング情報に基づいてＷｉＦｉモバイル・デバイスおよび他の仮想アクセス・ポイントのワイヤレス接続要求をブロックする。
【０１３１】
具体的には、ステップｓ９’で、アクセス・ポイント・デバイス２の仮想アクセス・ポイント２は、たとえば、ブロッキング・リストにＷｉＦｉモバイル・デバイスを追加することによって、スケジューリング情報に基づいて、ＷｉＦｉモバイル・デバイスへのビーコン情報のブロードキャストを停止し、それによって、ＷｉＦｉモバイル・デバイスおよび他の仮想アクセス・ポイントのワイヤレス接続要求をブロックする。
【０１３２】
当業者にとって、明らかに、本発明は、前述の代表的な実施形態の詳細に制限されるものではない。さらに、本発明の精神または基本的な特性から逸脱しない前提で、本発明は、他の特定の形態で達成され得る。したがって、実施形態は、いかなる点からも代表的かつ非限定的であると考えるべきであり、本発明の範囲は、上記の記述ではなく添付された請求項によって規定され、本発明の範囲内の請求項およびすべての変更に該当する等価な構成要素の意味を対象にすることを目的としている。請求項における引用符号は、関係のある請求項を制限するものとして見なされないものとする。さらに、明らかに、「含む／含む（ｃｏｍｐｒｉｓｅ／ｉｎｃｌｕｄｅ）」という単語は、他の構成要素またはステップを除外するものではなく、単数は、複数を除外するものではなく、デバイスの請求項で言及された複数の構成要素または手段は、また、ソフトウェアまたはハードウェアを通じて１つの構成要素または手段によって達成され得て、第１および第２のような言葉は、特定の順序ではなく名前を表すためのみに使用されている。
【図１】
0006438010.tif 000002
【図２】
0006438010.tif 000003
【図３】
0006438010.tif 000004
【図４】
0006438010.tif 000005
【図５】
0006438010.tif 000006